【手続補正書】
【提出日】平成30年11月1日(2018.11.1)
【手続補正１】
【補正対象書類名】特許請求の範囲
【補正対象項目名】全文
【補正方法】変更
【補正の内容】
【特許請求の範囲】
【請求項１】
生体のマクロ標本からなる組織試料の組織構造を維持しながら、前記組織試料に光を照射して得られる測光情報ＡＳを用いて定量分析することにより、前記組織試料に局在する化学物質を前記組織試料の細胞レベルの微小範囲において化学物質の量を前記組織試料内の厚さ方向全領域で測定して定量し化学物質の分布を二次元的に並べた定量画像を得る、光学的な拡大のためのレンズを有さないレンズレスの組織試料分析装置であって、
前記組織試料との間にバンドパスフィルタを配置し前記組織試料に光を照射する光源部と、
前記光源部と対向して配置され、前記光源部との間に前記組織試料を配置した状態で、前記組織試料を透過した光又は前記組織試料から放射された光を受光する数ミクロンピッチで縦横に碁盤目状に区切られた平板状の受光部と、
前記組織試料から光学的な拡大のためのレンズを介さずに前記測光情報ＡＳを取得する組織試料分析部と、
前記組織試料分析部が取得した測光情報ＡＳに基づいて情報を作成する制御装置と、
を備え、
前記測光情報ＡＳは、前記光源部から照射された照明光が前記組織試料を透過した光又は組織試料から放射された光を前記受光部が電気信号に変換するとともに得られた光量を前記組織試料内の厚さ方向に積算して得られた測光値ＲＳに、前記受光部における座標情報、が付加された情報であり、
前記制御装置は、表示部と制御本体部とを有し、
前記制御本体部は、制御信号を出力する制御部と、前記組織試料分析部から取得した前記測光情報ＡＳに基づき前記測光情報ＡＳの分布情報ＯＤを作成するデータ演算部と、
前記分布情報ＯＤに基づき前記表示部に画像を表示させる画像データである画像化データＧＤを構成する画像構成部と、を有し、
前記制御部は、前記画像化データＧＤに基づき、前記表示部に前記定量画像を表示し、
前記データ演算部は、前記測光情報ＡＳ中の前記測光値ＲＳと前記受光部における座標情報とに基づき演算して、前記組織試料内の厚さ方向及び平面方向の全領域に渡って前記組織試料中の化学物質の量と分布を測定する定量分析をすることを特徴とする組織試料分析装置。
【請求項２】
前記光源部が組織試料に照射する光は、平行光であることを特徴とする請求項１に記載の組織試料分析装置。
【請求項３】
前記光源部が平板状であることを特徴とする請求項１又は２に記載の組織試料分析装置。
【請求項４】
前記組織試料は、検査試薬が添加された組織試料であることを特徴とする請求項１又は２に記載の組織試料分析装置。
【請求項５】
前記検査試薬は蛍光物質であり、
前記光源部と前記組織試料の間には、前記組織試料に添加された蛍光物質を励起する励起光を透過させるバンドパスフィルタが配置され、
前記組織試料と前記受光部の間には、前記組織試料に添加された前記蛍光物質が放射する蛍光を透過させる吸収フィルタが配置されていることを特徴とする請求項４に記載の組織試料分析装置。
【請求項６】
前記検査試薬は染色剤であることを特徴とする請求項４に記載の組織試料分析装置。
【請求項７】
前記光源部と前記組織試料の間には、前記組織試料に添加された染色剤の吸収の大きい波長領域の光成分のみを透過させるバンドパスフィルタが配置されることを特徴とする請求項６に記載の組織試料分析装置。
【請求項８】
前記組織試料と前記受光部の間には、前記組織試料に添加された前記染色剤の吸収の大きい波長領域の光成分のみを透過させる吸収フィルタが配置されていることを特徴とする請求項６又は７に記載の組織試料分析装置。
【請求項９】
前記受光部は、固体撮像素子を二次元的に配列させることで構成されることを特徴とする請求項１ないし８のいずれか１項に記載の組織試料分析装置。
【請求項１０】
前記光源部は、複数の発光ダイオードを二次元に配列させることで構成されることを特徴とする請求項１ないし８のいずれか１項に記載の組織試料分析装置。
【請求項１１】
前記光源部は、エレクトロルミネッセンスで平板状に構成され、
前記受光部は、固体撮像素子を二次元的に配列させることで構成されることを特徴とする請求項１ないし８のいずれか１項に記載の組織試料分析装置。
【請求項１２】
前記光源部又は受光部と、組織試料又はこの組織試料を含むプレパラートと、の接触による損傷を防止する保護機構を備えることを特徴とする請求項１ないし１１のいずれか１項に記載の組織試料分析装置。
【請求項１３】
請求項１ないし１２のいずれか１項に記載の組織試料分析装置と、
前記組織試料の高精細画像を取得する高精細画像取得装置と、
前記組織試料分析装置で作成された定量画像と、前記高精細画像取得装置で取得された高精細画像とを関連付ける統合制御部と、
を備えることを特徴とする組織試料分析システム。
【請求項１４】
請求項１ないし１２のいずれか１項に記載の組織試料分析装置と、
前記組織試料の高精細画像を読み込む高精細画像読込部と、
前記組織試料分析装置で作成された定量画像と、前記高精細画像読込部で読み込まれた高精細画像とを関連付ける統合制御部と、
を備えることを特徴とする組織試料分析システム。
【手続補正２】
【補正対象書類名】明細書
【補正対象項目名】００１５
【補正方法】変更
【補正の内容】
【００１５】
上記課題を達成するため、本発明の第１の態様に係る組織試料分析装置は、生体のマクロ標本からなる組織試料の組織構造を維持しながら、前記組織試料に光を照射して得られる測光情報ＡＳを用いて定量分析することにより、前記組織試料に局在する化学物質を前記組織試料の細胞レベルの微小範囲において化学物質の量を前記組織試料内の厚さ方向全領域で測定して定量し化学物質の分布を二次元的に並べた定量画像を得る、光学的な拡大のためのレンズを有さないレンズレスの組織試料分析装置であって、前記組織試料との間にバンドパスフィルタを配置し前記組織試料に光を照射する光源部と、前記光源部と対向して配置され、前記光源部との間に前記組織試料を配置した状態で、前記組織試料を透過した光又は前記組織試料から放射された光を受光する数ミクロンピッチで縦横に碁盤目状に区切られた平板状の受光部と、前記組織試料から光学的な拡大のためのレンズを介さずに前記測光情報ＡＳを取得する組織試料分析部と、前記組織試料分析部が取得した測光情報ＡＳに基づいて情報を作成する制御装置と、を備え、前記測光情報ＡＳは、前記光源部から照射された照明光が前記組織試料を透過した光又は組織試料から放射された光を前記受光部が電気信号に変換するとともに得られた光量を前記組織試料内の厚さ方向に積算して得られた測光値ＲＳに、前記受光部における座標情報、が付加された情報であり、前記制御装置は、表示部と制御本体部とを有し、前記制御本体部は、制御信号を出力する制御部と、前記組織試料分析部から取得した前記測光情報ＡＳに基づき前記測光情報ＡＳの分布情報ＯＤを作成するデータ演算部と、前記分布情報ＯＤに基づき前記表示部に画像を表示させる画像データである画像化データＧＤを構成する画像構成部と、を有し、前記制御部は、前記画像化データＧＤに基づき、前記表示部に前記定量画像を表示し、前記データ演算部は、前記測光情報ＡＳ中の前記測光値ＲＳと前記受光部における座標情報とに基づき演算して、前記組織試料内の厚さ方向及び平面方向の全領域に渡って前記組織試料中の化学物質の量と分布を測定する定量分析をすることを特徴とする。